(57)【要約】【課題】  複数の装置架に収納される光通信装置の状態を示す監視情報を、１つの装置架からネットワークに出力する。【解決手段】  第１光信号を出力する第１光通信装置と、第１光信号を含む第１光多重信号を光伝送路に出力する光伝送装置と、ネットワークを介して監視装置に接続される第１制御装置とが第１装置架に収納される。光ケーブルを介して光伝送装置に接続された第２光通信装置が第２装置架に収納される。第２光通信装置は、第２光信号と第２光通信装置の状態を示す第１監視光とを含む第２光多重信号を光ケーブルに出力する。光伝送装置は、第２多重光信号を、第２光信号と第１監視光とに分波し、分波した第１監視光を第１監視信号に変換して第１制御装置に出力する。第１制御装置は、第１監視信号が示す監視情報と第１光通信装置の状態を示す監視情報とを、第２監視信号としてネットワークに出力する。【選択図】    図１
2015142143.tif 000002
【特許請求の範囲】
【請求項１】
第１光信号を出力する少なくとも１つの第１光通信装置と、前記第１光信号を含む多重化された第１光多重信号を光伝送路に出力する光伝送装置と、ネットワークを介して監視装置に接続され、前記第１光通信装置の状態を監視する第１制御装置とが収納される第１装置架と、
光ケーブルを介して前記光伝送装置に接続された第２光通信装置が収納される第２装置架と
を備えた光伝送システムにおいて、
前記第２光通信装置は、第２光信号と、前記第２光通信装置の状態を示す監視情報を含む第１監視光とを合波して第２光多重信号を生成し、生成した第２光多重信号を前記光ケーブルに出力する第１合波部を備え、
前記光伝送装置は、
前記光ケーブルを介して受ける前記第２多重光信号を、前記第２光信号と前記第１監視光とに分波する分波部と、
前記分波部により分波された前記第１監視光を第１監視信号に変換し、変換した第１監視信号を前記第１制御装置に出力する第１変換部と
を備え、
前記第１制御装置は、前記第１監視信号が示す監視情報と前記第１光通信装置の状態を示す監視情報とを、第２監視信号として前記ネットワークに出力することを特徴とする光伝送システム。
【請求項２】
請求項１記載の光伝送システムにおいて、
前記光伝送装置は、
前記第２監視信号を第２監視光に変換する第２変換部と、
前記第１光信号と、前記分波部により分波された前記第２光信号と、前記第２監視光とを合波し、前記第１光多重信号として出力する第２合波部と
を備えることを特徴とする光伝送システム。
【請求項３】
請求項１または請求項２記載の光伝送システムにおいて、
前記第２装置架に収納され、第３光信号を、光ケーブルを介して前記光伝送装置に出力する少なくとも１つの第３光通信装置と、
前記第２装置架に収納され、前記第２光通信装置および前記第３光通信装置の状態を示す監視情報を生成する第２制御装置と
を備え、
前記第２光通信装置は、前記第２制御装置により生成される監視情報を前記第１監視光に変換する第３変換部を備えることを特徴とする光伝送システム。
【請求項４】
光信号を出力する少なくとも１つの光通信装置と、前記光信号を含む多重化された第１光多重信号を光伝送路に出力する光伝送装置と、ネットワークを介して監視装置に接続され、前記光通信装置の状態を監視する制御装置とが収納される第１装置架と、
光ケーブルを介して前記光伝送装置に接続される複数の光通信装置と、前記光伝送装置に接続される前記光通信装置の状態を監視する制御装置とが収納される第２装置架と
を備えた光伝送システムにおいて、
前記各光通信装置は、
前記各光通信装置の状態を監視する前記制御装置により生成される制御情報を監視光に変換する変換部と、
光信号と、前記監視光とを合波して第２光多重信号を生成し、生成した第２光多重信号を出力する合波部と、
前記変換部と前記合波部との間に配置され、前記各光通信装置の状態を監視する前記制御装置による制御に基づいて、前記変換部から前記合波部に前記監視光を伝送する経路を透過状態または遮断状態に設定するスイッチ部と
を備え、
前記第１装置架に収納される前記光通信装置の前記スイッチ部は、遮断状態に設定され、
前記第２装置架に収納される１つの前記光通信装置の前記スイッチ部は、透過状態に設定され、
前記第２装置架に収納される残りの前記光通信装置の前記スイッチ部は、遮断状態に設定され、
前記光伝送装置は、
透過状態に設定された前記スイッチ部を含む前記光通信装置から前記光ケーブルを介して受ける前記第２多重光信号を、光信号と前記監視光とに分波する分波部と、
前記分波部により分波された前記監視光を第１監視信号に変換し、変換した第１監視信号を前記第１装置架の前記制御装置に出力する第１変換部と
を備え、
前記第１装置架の前記制御装置は、前記第１監視信号が示す監視情報と、前記第１装置架内の前記光通信装置の状態を示す監視情報とを、第２監視信号として前記ネットワークに出力することを特徴とする光伝送システム。
【請求項５】
請求項４記載の光伝送システムにおいて、
前記光伝送装置は、
前記第２監視信号を第２監視光に変換する第２変換部と、
前記第１装置架内の前記光通信装置からの光信号と、前記分波部により分波された光信号と、前記第２変換部により変換された前記第２監視光とを合波し、前記第１光多重信号として出力する第２合波部と
を備えることを特徴とする光伝送システム。
【請求項６】
第１光信号を出力する少なくとも１つの第１光通信装置と、前記第１光信号を含む多重化された第１光多重信号を光伝送路に出力する光伝送装置と、ネットワークを介して監視装置に接続され、前記第１光通信装置の状態を監視する第１制御装置とが収納される第１装置架と、
光ケーブルを介して前記光伝送装置に接続された第２光通信装置が収納される第２装置架と
を備えた光伝送システムの制御方法において、
前記第２光通信装置が、第２光信号と、前記第２光通信装置の状態を示す監視情報を含む第１監視光とを合波して第２光多重信号を生成し、生成した第２光多重信号を前記光ケーブルに出力し、
前記光伝送装置が、
前記光ケーブルを介して受ける前記第２多重光信号を、前記第２光信号と前記第１監視光とに分波し、
分波された前記第１監視光を第１監視信号に変換し、変換した第１監視信号を前記第１制御装置に出力し、
前記第１制御装置は、前記第１監視信号が示す監視情報と前記第１光通信装置の状態を示す監視情報とを、第２監視信号として前記ネットワークに出力することを特徴とする光伝送システムの制御方法。
【請求項７】
請求項６記載の光伝送システムの制御方法において、
前記光伝送装置が、
前記第２監視信号を第２監視光に変換し、
前記第１光信号と、分波された前記第２光信号と、前記第２監視光とを合波し、前記第１光多重信号として出力することを特徴とする光伝送システムの制御方法。
【発明の詳細な説明】
【技術分野】
【０００１】
本発明は、光伝送システムおよび光伝送システムの制御方法に関する。
【背景技術】
【０００２】
光信号を伝送する光伝送システムでは、伝送容量を増加するために、例えば、複数の波長の光信号を１本の光ファイバを用いて伝送する波長分割多重（ＷＤＭ：Wavelength Division Multiplexing）方式が採用される。例えば、波長分割多重方式を採用する光伝送システムでは、互いに異なる波長の光信号を出力するトランスポンダ等の複数の光モジュールが、合波器、分波器、光増幅器および制御装置とともにラック等に収納される（例えば、特許文献１参照）。
【０００３】
この種の光伝送システムにおいて、リングネットワークに接続される複数のノードの１つにネットワークを介して監視装置を接続し、監視装置が各ノードのアラーム情報等を収集する手法が提案されている（例えば、特許文献２参照）。
【０００４】
また、電気／光変換器および光／電気変換器のそれぞれに光増幅器の機能を持たせることで、光信号の送信部および受信部のそれぞれに光増幅器を設ける場合に比べて短距離の光伝送を実現する手法が提案されている（例えば、特許文献３参照）。
【０００５】
さらに、光ファイバで接続された一対の終端装置と監視装置とを有し、並列に設けられた複数のシステムにおいて、１つのシステムの監視装置が伝送する監視光に基づいて、複数のシステムを監視する手法が提案されている（例えば、特許文献４参照）。
【先行技術文献】
【特許文献】
【０００６】
【特許文献１】特開２０１３−１９２１６６号公報
【特許文献２】特開平５−３１６１３３号公報
【特許文献３】特開平５−２９２０４０号公報
【特許文献４】特開平１１−２９８４１０号公報
【発明の概要】
【発明が解決しようとする課題】
【０００７】
例えば、光モジュールの増設時に、ラックに光モジュールを収納する余裕がない場合、新たなラックが増設され、増設される光モジュールは、制御装置とともに新たなラックに収納される。例えば、制御装置は、ラック毎に設置され、各ラック内の光モジュールの状態を監視する。このため、ＬＡＮ（Local Area Network）等のネットワークに接続される監視装置に光モジュールの監視情報を通知する場合、ネットワークに接続するインタフェースは、ラック毎に設けられる。この結果、監視装置は、光モジュールの監視情報をラック毎に監視するため、監視装置による光モジュールの監視制御は複雑になる。光伝送システムは、既存のラックと、増設される光モジュールを収納するラックとを含んで構築されるため、光伝送システム内の光モジュールの監視情報は、監視装置にまとめて通知されることが望ましい。
【０００８】
本件開示の光伝送システムおよび光伝送システムの制御方法は、第２装置架内の第２光通信装置の状態を示す監視情報を、第１装置架内の第１光通信装置の状態を示す監視情報とともにネットワークに出力することを目的とする。
【課題を解決するための手段】
【０００９】
一つの観点によれば、光伝送システムは、第１光信号を出力する少なくとも１つの第１光通信装置と、第１光信号を含む多重化された第１光多重信号を光伝送路に出力する光伝送装置と、ネットワークを介して監視装置に接続され、第１光通信装置の状態を監視する第１制御装置とが収納される第１装置架と、光ケーブルを介して光伝送装置に接続された第２光通信装置が収納される第２装置架とを有し、第２光通信装置は、第２光信号と、第２光通信装置の状態を示す監視情報を含む第１監視光とを合波して第２光多重信号を生成し、生成した第２光多重信号を光ケーブルに出力する第１合波部を有し、光伝送装置は、光ケーブルを介して受ける第２多重光信号を、第２光信号と第１監視光とに分波する分波部と、分波部により分波された第１監視光を第１監視信号に変換し、変換した第１監視信号を第１制御装置に出力する第１変換部とを有し、第１制御装置は、第１監視信号が示す監視情報と第１光通信装置の状態を示す監視情報とを、第２監視信号としてネットワークに出力する。
【００１０】
別の観点によれば、光伝送システムは、光信号を出力する少なくとも１つの光通信装置と、光信号を含む多重化された第１光多重信号を光伝送路に出力する光伝送装置と、ネットワークを介して監視装置に接続され、光通信装置の状態を監視する制御装置とが収納される第１装置架と、光ケーブルを介して光伝送装置に接続される複数の光通信装置と、光伝送装置に接続される光通信装置の状態を監視する制御装置とが収納される第２装置架とを有し、各光通信装置は、各光通信装置の状態を監視する制御装置により生成される制御情報を監視光に変換する変換部と、光信号と、監視光とを合波して第２光多重信号を生成し、生成した第２光多重信号を出力する合波部と、変換部と合波部との間に配置され、各光通信装置の状態を監視する制御装置による制御に基づいて、変換部から合波部に監視光を伝送する経路を透過状態または遮断状態に設定するスイッチ部とを有し、第１装置架に収納される光通信装置のスイッチ部は、遮断状態に設定され、第２装置架に収納される１つの光通信装置のスイッチ部は、透過状態に設定され、第２装置架に収納される残りの光通信装置のスイッチ部は、遮断状態に設定され、光伝送装置は、透過状態に設定されたスイッチ部を含む光通信装置から光ケーブルを介して受ける第２多重光信号を、光信号と監視光とに分波する分波部と、分波部により分波された監視光を第１監視信号に変換し、変換した第１監視信号を第１装置架の制御装置に出力する第１変換部とを有し、第１装置架の制御装置は、第１監視信号が示す監視情報と、第１装置架内の光通信装置の状態を示す監視情報とを、第２監視信号としてネットワークに出力する。
【００１１】
さらなる別の観点によれば、第１光信号を出力する少なくとも１つの第１光通信装置と、第１光信号を含む多重化された第１光多重信号を光伝送路に出力する光伝送装置と、ネットワークを介して監視装置に接続され、第１光通信装置の状態を監視する第１制御装置とが収納される第１装置架と、光ケーブルを介して光伝送装置に接続された第２光通信装置が収納される第２装置架とを有した光伝送システムの制御方法では、第２光通信装置が、第２光信号と、第２光通信装置の状態を示す監視情報を含む第１監視光とを合波して第２光多重信号を生成し、生成した第２光多重信号を光ケーブルに出力し、光伝送装置が、光ケーブルを介して受ける第２多重光信号を、第２光信号と第１監視光とに分波し、分波された第１監視光を第１監視信号に変換し、変換した第１監視信号を第１制御装置に出力し、第１制御装置は、第１監視信号が示す監視情報と第１光通信装置の状態を示す監視情報とを、第２監視信号としてネットワークに出力する。
【発明の効果】
【００１２】
本件開示の光伝送システムおよび光伝送システムの制御方法では、第２装置架内の第２光通信装置の状態を示す監視情報を、第１装置架内の第１光通信装置の状態を示す監視情報とともにネットワークに出力することができる。
【図面の簡単な説明】
【００１３】
【図１】光伝送システムおよび光伝送システムの制御方法の一実施形態を示す図である。
【図２】光伝送システムおよび光伝送システムの制御方法の別の実施形態を示す図である。
【図３】図２に示す端局装置の例を示す図である。
【図４】図２および図３に示す端局装置の要部の例を示す図である。
【図５】図２に示すトランスポンダの例を示す図である。
【図６】図２に示す光増幅部の例を示す図である。
【図７】図２に示す端局装置で使用される光信号および監視光の波長域の例を示す図である。
【図８】図２に示すトランスポンダの状態を示す監視光に含まれる監視情報のフレームの例を示す図である。
【図９】光伝送システムおよび光伝送システムの制御方法の別の実施形態における端局装置の例を示す図である。
【図１０】図９に示すトランスポンダの例を示す図である。
【図１１】端局装置の別の例（比較例）を示す図である。
【発明を実施するための最良の形態】
【００１４】
以下、図面を用いて実施形態を説明する。
【００１５】
図１は、光伝送システムおよび光伝送システムの制御方法の一実施形態を示している。図１に示す光伝送システムＯＰＳＹＳ１は、装置架ＲＣ１と、光ケーブルＯＣを介して装置架ＲＣ１に接続される装置架ＲＣ２とを有している。例えば、光伝送システムＯＰＳＹＳ１は、波長分割多重方式を採用している。
【００１６】
装置架ＲＣ２には、合波部ＭＡＸ１を有するトランスポンダ等の光通信装置ＴＲＡＰＮａが収納されている。光通信装置ＴＲＡＰＮａは、光信号を送受信する機能を有する。合波部ＭＡＸ１は、データ等の情報を含む光信号ＯＰ２と光通信装置ＴＲＡＰＮａの状態を示す監視情報を含む監視光ＭＯＮＯＰ１とを合波して光信号ＭＯＰ２を生成し、生成した光信号ＭＯＰ２を光ケーブルＯＣに出力する。なお、光通信装置ＴＲＡＰＮａは、装置架ＲＣ２に収納される他の光通信装置の状態を示す監視情報と光通信装置ＴＲＡＰＮａの状態を示す監視情報とを含む監視光ＭＯＮＯＰ１を、光信号ＯＰ２に多重化して光信号ＭＯＰ２を生成してもよい。
【００１７】
装置架ＲＣ１には、トランスポンダ等の光通信装置ＴＲＡＰＮ、光伝送装置ＲＯＡＤＭおよび制御装置ＣＴＬが収納されている。光通信装置ＴＲＡＰＮは、光通信装置ＴＲＡＰＮａと同様に、光信号を送受信する機能を有する。例えば、光通信装置ＴＲＡＰＮは、データ等の情報を含む光信号ＯＰ１を生成し、生成した光信号ＯＰ１を光伝送装置ＲＯＡＤＭに出力する。なお、装置架ＲＣ１には、複数の光通信装置ＴＲＡＰＮが収納されてもよい。光伝送装置ＲＯＡＤＭは、分波部ＤＭＸ１、光電気変換部Ｏ／Ｅ、電気光変換部Ｅ／Ｏおよび合波部ＭＡＸ２を有している。
【００１８】
分波部ＤＭＸ１は、光ケーブルＯＣを介して光通信装置ＴＲＡＰＮａから受ける多重化された光信号ＭＯＰ２を、元の光信号ＯＰ２と監視光ＭＯＮＯＰ１とに分波する。変換部Ｏ／Ｅは、分波部ＤＭＸ１により分波された監視光ＭＯＮＯＰ１を電気的な監視信号ＭＯＮＳ１に変換し、変換した監視信号ＭＯＮＳ１を制御装置ＣＴＬに出力する。
【００１９】
電気光変換部Ｅ／Ｏは、光通信装置ＴＲＡＰＮの状態を示す監視情報と監視信号ＭＯＮＳ１に含まれる光通信装置ＴＲＡＰＮａの監視情報とを含み、制御装置ＣＴＬにより生成される電気的な監視信号ＭＯＮＳ２を監視光ＭＯＮＯＰ２に変換する。
【００２０】
合波部ＭＡＸ２は、光通信装置ＴＲＡＰＮからの光信号ＯＰ１と、分波部ＤＭＸ１により分波された光信号ＯＰ２と、電気光変換部Ｅ／Ｏにより変換された監視光ＭＯＮＯＰ２とを合波し、光信号ＭＯＰ１として光伝送路ＯＰＴに出力する。光伝送路ＯＰＴに出力された光信号ＭＯＰ１は、光伝送路ＯＰＴに接続された他の光伝送システムに伝送される。
【００２１】
制御装置ＣＴＬは、光通信装置ＴＲＡＰＮおよび光伝送装置ＲＯＡＤＭを制御するとともに、ネットワークＮＷを介して監視装置ＭＯＮに接続される。制御装置ＣＴＬは、光通信装置ＴＲＡＰＮの状態を示す監視情報に監視信号ＭＯＮＳ１に含まれる光通信装置ＴＲＡＰＮａの監視情報を加えた監視情報を生成し、生成した監視情報を監視信号ＭＯＮＳ２として電気光変換部Ｅ／ＯおよびネットワークＮＷに出力する。
【００２２】
例えば、ネットワークＮＷは、電気信号を伝達するＬＡＮ等のネットワークである。ネットワークＮＷに接続される監視装置ＭＯＮは、制御装置ＣＴＬから出力される監視信号ＭＯＮＳ２を受け、装置架ＲＣ１に収納される光通信装置ＴＲＡＰＮの状態および装置架ＲＣ２に収納される光通信装置ＴＲＡＰＮａの状態を監視する。
【００２３】
なお、光伝送装置ＲＯＡＤＭは、装置架ＲＣ２以外の他の装置架に収納される光通信装置ＴＲＡＰＮａから光信号ＯＰ２と監視光ＭＯＮＯＰ１とが多重化された光信号ＭＯＰ２を受けてもよい。この場合、光伝送装置ＲＯＡＤＭは、装置架に収納される光通信装置ＴＲＡＰＮａ毎に分波部ＤＭＸ１を有する。これにより、３つ以上の装置架を有する光伝送システムＯＰＳＹＳにおいて、制御装置ＣＴＬは、各装置架に収納される光通信装置ＴＲＡＰＮ、ＴＲＡＰＮａの状態を示す監視情報を含む監視信号ＭＯＮＳ２を監視装置ＭＯＮに通知することができる。換言すれば、監視装置ＭＯＮは、制御装置ＣＴＬからの監視信号ＭＯＮＳ２を監視することで、光伝送システムＯＰＳＹＳの全ての装置架に収納される光通信装置ＴＲＡＰＮ、ＴＲＡＰＮａの状態を監視することができる。
【００２４】
以上、図１に示す光伝送システムＯＰＳＹＳ１では、装置架ＲＣ２内の光通信装置ＴＲＡＰＮａの状態を示す監視情報を、装置架ＲＣ１内の光通信装置ＴＲＡＰＮの状態を示す監視情報とともにネットワークＮＷに出力することができる。これにより、装置架ＲＣ２をネットワークＮＷに接続することなく、装置架ＲＣ２に収納される光通信装置ＴＲＡＰＮａの状態を、ネットワークＮＷに接続された監視装置ＭＯＮにより監視可能になる。換言すれば、監視装置ＭＯＮは、装置架ＲＣ１、ＲＣ２を意識することなく、光伝送システムＯＰＳＹＳ１内の光通信装置ＴＲＡＰＮ、ＴＲＡＰＮＮａの状態を監視することができる。
【００２５】
例えば、装置架ＲＣ１に光通信装置ＴＲＡＰＮを増設する空間がない場合、装置架ＲＣ２が新たに増設される。この場合にも、監視装置ＭＯＮは、装置架ＲＣ１、ＲＣ２の間に配線される光ケーブルＯＣを利用して、光通信装置ＴＲＡＰＮａの状態を監視することができる。さらに、装置架ＲＣ２は、ネットワークＮＷに接続されないため、装置架ＲＣ２にネットワークＮＷのインタフェースを設けるためのコストを抑えることができる。
【００２６】
さらに、光通信装置ＴＲＡＰＮａの状態を示す監視情報を、装置架ＲＣ１内の光通信装置ＴＲＡＰＮの状態を示す監視情報とともに光信号ＭＯＰ１として光伝送路ＯＰＴに出力することができる。このため、光伝送路ＯＰＴに接続される他の光伝送システムは、装置架ＲＣ１内の光通信装置ＴＲＡＰＮの状態に加えて、装置架ＲＣ２内の光通信装置ＴＲＡＰＮａの状態を受信することができる。例えば、光伝送路ＯＰＴに接続される他の光伝送システムは、ネットワークＮＷに接続されている。この場合、制御装置ＣＴＬをネットワークＮＷに接続するインタフェース装置が故障した場合にも、監視装置ＭＯＮは、他の光伝送システムを経由して、装置架ＲＣ１、ＲＣ２内の光通信装置ＴＲＡＰＮ、ＴＲＡＰＮａの状態を監視することができる。
【００２７】
図２は、光伝送システムおよび光伝送システムの制御方法の別の実施形態を示している。図１と同一または同様の要素については、図１と同じ符号を付し、詳細な説明は省略する。
【００２８】
例えば、図２では、間隔を置いて中継装置ＲＥＰが配置されるリング状の光伝送路ＯＰＴを介して、端局装置ＴＥ（ＴＥ１、ＴＥ２）が互いに接続されている。端局装置ＴＥ１、ＴＥ２の各々は、光伝送システムＯＰＳＹＳ２の一例である。例えば、光伝送システムＯＰＳＹＳ２は、波長分割多重方式を採用している。なお、３以上の端局装置ＴＥが、光伝送路ＯＰＴに接続されてもよい。また、光伝送路ＯＰＴは、単一の光ケーブルによるリングネットワークでもよく、冗長構成（現用系の光ケーブルと予備系の光ケーブル）のリングネットワークでもよい。
【００２９】
例えば、端局装置ＴＥ１は、装置架ＲＣ１１、ＲＣ１２、ＲＣ１３を有しており、端局装置ＴＥ２は、装置架ＲＣ２１、ＲＣ２２、ＲＣ２３を有している。端局装置ＴＥ２は、端局装置ＴＥ１と同一または同様の構成を有しているため、以下では、端局装置ＴＥ１について説明する。なお、端局装置ＴＥ１において、装置架ＲＣ１１は、図１の装置架ＲＣ１に対応し、装置架ＲＣ１２、ＲＣ１３は、図１の装置架ＲＣ２に対応している。
【００３０】
装置架ＲＣ１１は、複数のトランスポンダＴＲＡＰＮ、制御装置ＣＴＬ１、光合波分波部ＭＵＬＤＸ、波長選択スイッチＷＳＳ（Wavelength Selective Switch）、光増幅部ＡＭＰ、ネットワークインタフェースＮＷＩＦを有している。光合波分波部ＭＵＬＤＸ、波長選択スイッチＷＳＳおよび光増幅部ＡＭＰは、光伝送装置の一例であり、図１に示す光伝送装置ＲＯＡＤＭに対応する。
【００３１】
光増幅部ＡＭＰは、多重化された光信号を光伝送路ＯＰＴに出力し、多重化された光信号を光伝送路ＯＰＴを介して受ける。ネットワークインタフェースＮＷＩＦは、制御装置ＣＴＬ１をＬＡＮ等のネットワークＮＷに接続される装置（例えば、監視装置ＭＯＮ）と通信させるためのインタフェースである。トランスポンダＴＲＡＰＮの例は、図５で説明され、制御装置ＣＴＬ１、光合波分波部ＭＵＬＤＸおよび波長選択スイッチＷＳＳの例は、図４で説明される。
【００３２】
装置架ＲＣ１２は、トランスポンダＴＲＡＰＮａ、複数のトランスポンダＴＲＡＰＮおよび制御装置ＣＴＬ２を有している。装置架ＲＣ１３は、トランスポンダＴＲＡＰＮａ、複数のトランスポンダＴＲＡＰＮおよび制御装置ＣＴＬ３を有している。制御装置ＣＴＬ２、ＣＴＬ３の例は、図４で説明される。
【００３３】
トランスポンダＴＲＡＰＮ、ＴＲＡＰＮａは、光通信装置の一例である。各トランスポンダＴＲＡＰＮ、ＴＲＡＰＮａは、データ等の情報を含む電気信号を光信号に変換して外部に出力するとともに、外部から受信するデータ等の情報を含む光信号を電気信号に変換して出力する機能を有している。さらに、トランスポンダＴＲＡＰＮａは、装置架ＲＣ１２（またはＲＣ１３）内のトランスポンダＴＲＡＰＮ、ＴＲＡＰＮａの状態を示す監視情報を光信号に合波して出力する機能を有している。トランスポンダＴＲＡＰＮａの例は、図５で説明される。
【００３４】
図３は、図２に示す端局装置ＴＥ１の例を示している。なお、図２に示す端局装置ＴＥ２の構成は、図３と同一または同様である。
【００３５】
装置架ＲＣ１１は、複数のシェルフＳＨ１を有している。例えば、光増幅部ＡＭＰ、波長選択スイッチＷＳＳ、光合波分波部ＭＵＬＤＸ、トランスポンダＴＲＡＰＮおよび制御装置ＣＴＬ１は、１つのシェルフＳＨ１に収納されている。さらに、所定数のトランスポンダＴＲＡＰＮが、他の複数のシェルフＳＨ１のそれぞれに収納されている。装置架ＲＣ１１内のトランスポンダＴＲＡＰＮは、光ケーブルを介して光合波分波部ＭＵＬＤＸに接続され、電気信号線を介して制御装置ＣＴＬ１に接続されている。
【００３６】
装置架ＲＣ１２は、複数のシェルフＳＨ２を有している。例えば、トランスポンダＴＲＡＰＮａ、所定数のトランスポンダＴＲＡＰＮおよび制御装置ＣＴＬ２は、１つのシェルフＳＨ２に収納されている。さらに、所定数のトランスポンダＴＲＡＰＮが、他の複数のシェルフＳＨ２のそれぞれに収納されている。装置架ＲＣ１２内のトランスポンダＴＲＡＰＮ、ＴＲＡＰＮａは、光ケーブルを介して装置架ＲＣ１１の光合波分波部ＭＵＬＤＸに接続され、電気信号線を介して制御装置ＣＴＬ２に接続されている。
【００３７】
装置架ＲＣ１３は、複数のシェルフＳＨ３を有している。例えば、トランスポンダＴＲＡＰＮａ、所定数のトランスポンダＴＲＡＰＮおよび制御装置ＣＴＬ３は、１つのシェルフＳＨ３に収納されている。さらに、所定数のトランスポンダＴＲＡＰＮが、他の複数のシェルフＳＨ３のそれぞれに収納されている。装置架ＲＣ１３内のトランスポンダＴＲＡＰＮ、ＴＲＡＰＮａは、光ケーブルを介して装置架ＲＣ１１の光合波分波部ＭＵＬＤＸに接続され、電気信号線を介して制御装置ＣＴＬ３に接続されている。
【００３８】
図４は、図２および図３に示す端局装置ＴＥ１の要部の例を示している。図４では、光信号の入力経路と出力経路とを明確にするために、図２に示す光増幅部ＡＭＰは、光増幅器ＡＭＰｉ、ＡＭＰｏに分けて記載され、光合波分波部ＭＵＬＤＸは、分波部ＤＭＸと合波部ＭＡＸ２１に分けて記載されている。
【００３９】
光増幅器ＡＭＰｉは、図２に示す光伝送路ＯＰＴから受ける多重化された光信号λｉの強度を増幅し、増幅した光信号λｉを分波部ＤＭＸに出力する。分波部ＤＭＸは、多重化された光信号λｉを周波数成分毎の光信号に分波し、分波した光信号を波長選択スイッチＷＳＳに出力する。光増幅器ＡＭＰｉの例は、図６で説明される。
【００４０】
波長選択スイッチＷＳＳは、分波部ＤＭＸから受ける光信号のそれぞれをトランスポンダＴＲＡＰＮ、ＴＲＡＰＮａのいずれかに選択的に出力し、あるいは、合波部ＭＡＸ２１に選択的に出力する。また、波長選択スイッチＷＳＳは、トランスポンダＴＲＡＰＮ、ＴＲＡＰＮａから出力される光信号のそれぞれを合波部ＭＡＸ２１に選択的に出力する。
【００４１】
合波部ＭＡＸ２１は、波長選択スイッチＷＳＳから出力される光信号を合波し、合波した光信号（光多重信号）を光増幅器ＡＭＰｏに出力する。光合波分波部ＭＵＬＤＸは、合波部ＭＡＸ２１に加えて、装置架ＲＣ１２、ＲＣ１３のトランスポンダＴＲＡＰＮａが出力する光信号から監視情報を含む光信号をそれぞれ分波させる分波部ＤＭＸ１を有している。また、光合波分波部ＭＵＬＤＸは、各分波部ＤＭＸ１により分波された光信号を電気信号に変換する光電気変換部Ｏ／Ｅを有している。例えば、光電気変換部Ｏ／Ｅは、フォトダイオード等を含む。さらに、光合波分波部ＭＵＬＤＸは、制御装置ＣＴＬ１との間で情報を入出力する入出力部ＰＩＵ（Physical Inventory Unit）を有している。光電気変換部Ｏ／Ｅにより生成される監視情報を示す電気信号は、入出力部ＰＩＵを介して制御装置ＣＴＬ１に出力される。
【００４２】
制御装置ＣＴＬ１は、内蔵するＣＰＵがプログラムを実行することで動作する。制御装置ＣＴＬ１は、光増幅器ＡＭＰｉ、ＡＭＰｏ、波長選択スイッチＷＳＳ、光合波分波部ＭＵＬＤＸおよび装置架ＲＣ１１内のトランスポンダＴＲＡＰＮを制御する機能と、装置架ＲＣ１１内のトランスポンダＴＲＡＰＮの状態を監視する機能とを有している。なお、光合波分波部ＭＵＬＤＸの合波部ＭＡＸ２１および分波部ＤＭＸ１で扱う情報は、入出力部ＰＩＵを介して制御装置ＣＴＬ１に入出力される。合波部ＭＡＸ２１は、図１に示す合波部ＭＡＸ２の機能のうち、光信号ＯＰ１、ＯＰ２を多重化する機能を有する。
【００４３】
制御装置ＣＴＬ１は、装置架ＲＣ１１内のトランスポンダＴＲＡＰＮの状態を示す監視情報と、各変換部Ｏ／Ｅからの電気信号に含まれる装置架ＲＣ１２、ＲＣ１３内のトランスポンダＴＲＡＰＮ、ＴＲＡＰＮａの状態を示す監視情報とをまとめる機能を有している。そして、制御装置ＣＴＬ１は、まとめた監視情報を、光増幅器ＡＭＰｏを介して光伝送路ＯＰＴに出力する機能と、まとめた監視情報を、ネットワークインタフェースＮＷＩＦを介してネットワークＮＷに出力する機能とを有している。
【００４４】
光増幅器ＡＭＰｏは、制御装置ＣＴＬ１から受ける監視情報を光信号に変換し、変換した光信号を合波部ＭＡＸ２１から受ける多重化された光信号と合波する機能を有している。合波された光信号ＭＯＰ１は、強度が増幅され、光信号λｏとして光伝送路ＯＰＴに出力される。光増幅器ＡＭＰｏは、図１に示す合波部ＭＡＸ２の機能のうち、監視光ＭＯＮＯＰ２を、合波部ＭＡＸ２１で合波された光信号（図１のＯＰ１、ＯＰ２に対応）に多重化する機能を有する。増幅器ＡＭＰｏの例は、図６で説明される。
【００４５】
制御装置ＣＴＬ２は、内蔵するＣＰＵがプログラムを実行することで動作する。制御装置ＣＴＬ２は、装置架ＲＣ１２に収納されるトランスポンダＴＲＡＰＮ、ＴＲＡＰＮａを制御する機能と、装置架ＲＣ１２に収納されるトランスポンダＴＲＡＰＮ、ＴＲＡＰＮａの状態を監視する機能とを有している。制御装置ＣＴＬ２は、トランスポンダＴＲＡＰＮ、ＴＲＡＰＮａの状態を示す監視情報を、監視光としてトランスポンダＴＲＡＮＰａに生成させ、生成させた監視光を光信号と多重化させ、光信号ＭＯＰ２として光ケーブルＯＣに出力させる。
【００４６】
制御装置ＣＴＬ３は、内蔵するＣＰＵがプログラムを実行することで動作する。制御装置ＣＴＬ３は、装置架ＲＣ１３に収納されるトランスポンダＴＲＡＰＮ、ＴＲＡＰＮａを制御する機能と、装置架ＲＣ１３に収納されるトランスポンダＴＲＡＰＮ、ＴＲＡＰＮａの状態を監視する機能とを有している。制御装置ＣＴＬ３は、トランスポンダＴＲＡＰＮ、ＴＲＡＰＮａの状態を示す監視情報を、監視光としてトランスポンダＴＲＡＮＰａに生成させ、生成させた監視光を光信号と多重化させ、光信号ＭＯＰ２として光ケーブルＯＣに出力させる。
【００４７】
図５は、図２に示すトランスポンダＴＲＡＰＮ、ＴＲＡＰＮａの例を示している。例えば、トランスポンダＴＲＡＰＮ、ＴＲＡＰＮａは、１０Ｇｂ／ｓ（毎秒１０ギガビット）のデータ転送能力を有している。
【００４８】
例えば、トランスポンダＴＲＡＰＮは、シリアライザＳＥＲ、変調器ＭＯＤ、フォトダイオードＰＤ、増幅器ＡＭおよびデシリアライザＤＥＳを有している。例えば、トランスポンダＴＲＡＰＮａは、電気光変換部Ｅ／Ｏ、合波部ＭＡＸ１、シリアライザＳＥＲ、変調器ＭＯＤ、フォトダイオードＰＤ、増幅器ＡＭおよびデシリアライザＤＥＳを有している。
【００４９】
シリアライザＳＥＲは、複数ビットを有する並列の電気信号（入力）を直列の電気信号に変換する。変調器ＭＯＤは、直列の電気信号を所定の波長の光信号に変換する。なお、光信号の波長は、トランスポンダＴＲＡＰＮ、ＴＲＡＰＮａ毎に異なる。トランスポンダＴＲＡＰＮは、変調器ＭＯＤから出力される光信号を光ケーブルＯＣに出力する。トランスポンダＴＲＡＰＮａの電気光変換部Ｅ／Ｏは、対応する制御装置ＣＴＬ２または制御装置ＣＴＬ３から出力される監視情報を監視光に変換する。トランスポンダＴＲＡＰＮａの合波部ＭＡＸ１は、変調器ＭＯＤから出力される光信号と電気光変換部Ｅ／Ｏで変換された監視光とを合波し、合波した光信号ＭＯＰ２を光ケーブルＯＣに出力する。
【００５０】
フォトダイオードＰＤは、光ケーブルＯＣを介して受ける光信号（入力）を電気信号に変換する。増幅器ＡＭは、フォトダイオードＰＤから出力される電気信号を増幅する。デシリアライザＤＥＳは、増幅器ＡＭから出力される直列の電気信号を並列の電気信号に変換し、変換した電気信号（出力）を出力する。
【００５１】
図６は、図２に示す光増幅部ＡＭＰの例を示す。光増幅部ＡＭＰは、光伝送路ＯＰＴから光信号λｉを受ける光増幅器ＡＭＰｉ、光伝送路ＯＰＴに光信号λｏを出力する光増幅器ＡＭＰｏおよび光増幅器ＡＭＰｉ、ＡＭＰｏの動作を制御する制御部ＡＭＰＣＴＬを有している。
【００５２】
光増幅器ＡＭＰｉは、光カプラＣＰＬ１、ＣＰＬ２、光電気変換部Ｏ／Ｅ、および半導体レーザＬＳＲｉを有している。光カプラＣＰＬ１は、光信号λｉに含まれる信号光と監視光とを分波する。例えば、光カプラＣＰＬ１により分波された信号光は、光カプラＣＰＬ２に伝送され、光カプラＣＰＬ１により分波された監視光は、光電気変換部Ｏ／Ｅに伝送される。光電気変換部Ｏ／Ｅは、監視光を電気信号に変換し、変換した電気信号（監視情報）を制御部ＡＭＰＣＴＬに出力する。
【００５３】
半導体レーザＬＳＲｉは、制御部ＡＭＰＣＴＬからの制御信号に基づいて励起光を発生する。光カプラＣＰＬ２は、光カプラＣＰＬ１からの光信号と半導体レーザＬＳＲｉからの励起光とを合波する。光カプラＣＰＬ２により合波された光信号は、例えば、Ｅｒ（エルビウム）を添加した光ファイバＥＤＦに入射されて増幅され、分波部ＤＭＸに出力される。
【００５４】
光増幅器ＡＭＰｏは、光カプラＣＰＬ３、合波部ＭＡＸ２２、半導体レーザＬＳＲｏおよび電気光変換部Ｅ／Ｏを有している。半導体レーザＬＳＲｏは、制御部ＡＭＰＣＴＬからの制御信号に基づいて励起光を発生する。光カプラＣＰＬ３は、合波部ＭＡＸ２からの光信号と半導体レーザＬＳＲｏからの励起光とを合波する。光カプラＣＰＬ３により合波された光信号は、例えば、Ｅｒ（エルビウム）を添加した光ファイバＥＤＦに入射されて増幅され、合波部ＭＡＸ２２に伝送される。
【００５５】
電気光変換部Ｅ／Ｏは、制御部ＡＭＰＣＴＬにより生成される監視情報を含む監視信号ＭＯＮＳ２を監視光ＭＯＮＯＰ２に変換する。例えば、合波部ＭＡＸ２２は、光カプラであり、光ファイバＥＤＦにより増幅された光信号と電気光変換部Ｅ／Ｏからの監視光ＭＯＮＯＰ２とを合波して光信号ＭＯＰ１を生成し、生成した光信号ＭＯＰ１を光信号λｏとして光伝送路ＯＰＴに出力する。合波部ＭＡＸ２２は、図１に示す合波部ＭＡＸ２の機能のうち、監視光ＭＯＮＯＰ２を、光合波部ＭＡＸ２１で合波された光信号（図１のＯＰ１、ＯＰ２に対応）に多重化する機能を有する。すなわち、合成部ＭＡＸ２２と図４に示す合成部ＭＡＸ２１とにより、図１に示す合波部ＭＡＸ２の機能が実現される。
【００５６】
制御部ＡＭＰＣＴＬは、半導体レーザＬＳＲｉ、ＬＳＲｏに励起光を発生させる制御信号を生成する。また、制御部ＡＭＰＣＴＬは、光増幅器ＡＭＰｉから出力される監視信号に含まれる監視情報に、制御部ＣＴＬ１から出力される監視信号に含まれる監視情報を加え、監視信号ＭＯＮＳ２として電気光変換部Ｅ／Ｏに出力する。
【００５７】
図７は、図２に示す端局装置ＴＥ１で使用される光信号および監視光の波長域の例を示している。ユーザデータの伝送に使用する光信号は、光通信で使用する規格に定められた波長域に含まれる。例えば、光信号の波長は、トランスポンダＴＲＡＰＮ、ＴＲＡＰＮａ毎に異なる。例えば、監視光は、光通信で使用する規格に定められた領域外の波長域に含まれる。この例では、装置架ＲＣ１１内のトランスポンダＴＲＡＰＮの状態を示す監視光の波長と、装置架ＲＣ１２、ＲＣ１３内のトランスポンダＴＲＡＰＮ、ＴＲＡＰＮａの状態を示す監視光の波長は、互いに異なる。なお、例えば、端局装置ＴＥ２の装置架ＲＣ２１内のトランスポンダＴＲＡＰＮの状態を示す監視光の波長は、装置架ＲＣ１１内のトランスポンダＴＲＡＰＮの状態を示す監視光の波長と同一または同様である。例えば、端局装置ＴＥ２の装置架ＲＣ２２、ＲＣ２３内のトランスポンダＴＲＡＰＮ、ＴＲＡＰＮａの状態を示す監視光の波長は、装置架ＲＣ１２、ＲＣ１３内のトランスポンダＴＲＡＰＮ、ＴＲＡＰＮａの状態を示す監視光の波長と同一または同様である。
【００５８】
図８は、図２に示すトランスポンダＴＲＡＰＮ、ＴＲＡＰＮａの状態を示す監視光に含まれる監視情報のフレームの例を示している。監視情報のフレームは、オーバヘッドＯＨ、装置ＩＤ（IDentification）、監視制御情報および誤り検査符号ＣＲＣ（Cyclic Redundancy Check）を格納する領域を有している。
【００５９】
オーバヘッドＯＨの領域には、監視情報のフレームの先頭を示すスタート情報が格納される。装置ＩＤの領域には、装置架ＲＣ１１、ＲＣ１２、ＲＣ１３を識別する情報が格納される。監視制御情報の領域には、異常を示すトランスポンダＴＲＡＰＮ（またはＴＲＡＰＮａ）を示す情報（例えば、トランスポンダの識別子）と、異常の内容を示す情報とが格納される。
【００６０】
以上、図２から図８に示す実施形態においても、図１に示す実施形態と同様の効果を得ることができる。すなわち、装置架ＲＣ１２、ＲＣ１３内のトランスポンダＴＲＡＰＮ、ＴＲＡＰＮａの状態を示す監視情報を、装置架ＲＣ１１内のトランスポンダＴＲＡＰＮの状態を示す監視情報とともにネットワークＮＷに出力することができる。換言すれば、監視装置ＭＯＮは、装置架ＲＣ１１、ＲＣ１２、ＲＣ１３を意識することなく、光伝送システムＯＰＳＹＳ２内のトランスポンダＴＲＡＰＮ、ＴＲＡＰＮＮａの状態を監視することができる。また、装置架ＲＣ１２、ＲＣ１３は、ネットワークＮＷに接続されないため、装置架ＲＣ１２、ＲＣ１３にネットワークＮＷのインタフェースを設けるためのコストを抑えることができる。
【００６１】
さらに、装置架ＲＣ２３、ＲＣ１３のトランスポンダＴＲＡＰＮ、ＴＲＡＰＮａの状態を示す監視情報を、装置架ＲＣ１１内のトランスポンダＴＲＡＰＮの状態を示す監視情報とともに光信号として光伝送路ＯＰＴに出力することができる。このため、図２に示す端局装置ＴＥ２は、装置架ＲＣ１１内の光通信装置ＴＲＡＰＮの状態に加えて、装置架ＲＣ１２、ＲＣ１３内の光通信装置ＴＲＡＰＮ、ＴＲＡＰＮａの状態を受信することができる。したがって、装置架ＲＣ１２に搭載されるネットワークインタフェースＮＷＩＦが故障した場合にも、監視装置ＭＯＮは、端局装置ＴＥ２を経由して、端局装置ＴＥ１内の光通信装置ＴＲＡＰＮ、ＴＲＡＰＮａの状態を監視することができる。
【００６２】
図９は、光伝送システムおよび光伝送システムの制御方法の別の実施形態における端局装置ＴＥ１ａの例を示している。図３と同一または同様の要素については、図３と同じ符号を付し、詳細な説明は省略する。
【００６３】
図９に示す光伝送システムＯＰＳＹＳ３では、端局装置ＴＥ１ａは、図２に示す端局装置ＴＥ１の代わりに配置されている。すなわち、端局装置ＴＥ１ａは、リング状の光伝送路ＯＰＴを介して図３に示す端局装置ＴＥ２に接続され、ネットワークＮＷを介して監視装置ＭＯＮに接続されている。
【００６４】
端局装置ＴＥ１ａは、図３に示す端局装置ＴＥ１に搭載されるトランスポンダＴＲＡＰＮ、ＴＲＡＰＮａの代わりにトランスポンダＴＲＡＰＮｂを有している。また、端局装置ＴＥ１ａは、図３に示す制御装置ＣＴＬ１、ＣＴＬ２、ＣＴＬ３の代わりに制御装置ＣＴＬ１ａ、ＣＴＬ２ａ、ＣＴＬ３ａを有している。制御装置ＣＴＬ１ａ、ＣＴＬ２ａ、ＣＴＬ３ａの各々は、トランスポンダＴＲＡＰＮｂから出力される光信号に監視情報を含ませるか否かを制御する制御信号を生成する機能を、図３に示す制御装置ＣＴＬ１、ＣＴＬ２、ＣＴＬ３の各々に追加している。端局装置ＴＥ１ａのその他の構成は、図３に示す端局装置ＴＥ１と同様である。
【００６５】
図１０は、図９に示すトランスポンダＴＲＡＰＮｂの例を示している。図５に示すトランスポンダＴＲＡＰＮａと同一または同様の要素については、図５と同じ符号を付し、詳細な説明は省略する。
【００６６】
トランスポンダＴＲＡＰＮｂは、電気光変換部Ｅ／Ｏと合波部ＭＡＸ１との間に配置されるスイッチ部ＳＷを有している。スイッチ部ＳＷは、制御装置ＣＴＬ１ａ（またはＣＴＬ２ａ、ＣＴＬ３ａ）からの制御信号に基づいて、電気光変換部Ｅ／Ｏから合波部ＭＡＸ１に監視光ＭＯＮＯＰ１を伝送する経路を透過状態または遮断状態に設定する。例えば、スイッチ部ＳＷは、可変光減衰器（Variable Optical Attenuator）である。
【００６７】
図９に示す装置架ＲＣ１１に収納されるトランスポンダＴＲＡＰＮｂは、スイッチ部ＳＷが遮断状態に設定され、合波部ＭＡＸ１は、監視光ＭＯＮＯＰ１を合波することなく変調器ＭＯＤから出力される光信号を光信号ＭＯＰ２として出力する。
【００６８】
図９に示す装置架ＲＣ１２に収納される１つのトランスポンダＴＲＡＰＮｂは、スイッチ部ＳＷが透過状態に設定され、合波部ＭＡＸ１は、変調器ＭＯＤから出力される光信号に監視光ＭＯＮＯＰ１を合波し、光信号ＭＯＰ２として出力する。また、装置架ＲＣ１２に収納される他のトランスポンダＴＲＡＰＮｂは、スイッチ部ＳＷが遮断状態に設定され、合波部ＭＡＸ１は、監視光ＭＯＮＯＰ１を合波することなく変調器ＭＯＤから出力される光信号を光信号ＭＯＰ２として出力する。
【００６９】
同様に、図９に示す装置架ＲＣ１３に収納される１つのトランスポンダＴＲＡＰＮｂは、スイッチ部ＳＷが透過状態に設定され、合波部ＭＡＸ１は、変調器ＭＯＤから出力される光信号に監視光ＭＯＮＯＰ１を合波し、光信号ＭＯＰ２として出力する。また、装置架ＲＣ１３に収納される他のトランスポンダＴＲＡＰＮｂは、スイッチ部ＳＷが遮断状態に設定され、合波部ＭＡＸ１は、監視光ＭＯＮＯＰ１を合波することなく変調器ＭＯＤから出力される光信号を光信号ＭＯＰ２として出力する。
【００７０】
これにより、１種類のトランスポンダＴＲＡＰＮｂにより、図３に示すトランスポンダＴＲＡＰＮ、ＴＲＡＰＮａの機能を実現することができる。したがって、２種類のトランスポンダＴＲＡＰＮ、ＴＲＡＰＮａを開発および製造する場合に比べて、開発コストおよび製造コストを削減することができる。
【００７１】
以上、図９および図１０に示す実施形態においても、図１に示す実施形態および図２から図８に示す実施形態と同様の効果を得ることができる。すなわち、装置架ＲＣ１２、ＲＣ１３内のトランスポンダＴＲＡＰＮ、ＴＲＡＰＮａの状態を示す監視情報を、装置架ＲＣ１１内のトランスポンダＴＲＡＰＮの状態を示す監視情報とともにネットワークＮＷに出力することができる。
【００７２】
さらに、装置架ＲＣ１１に搭載されるネットワークインタフェースＮＷＩＦが故障した場合にも、監視装置ＭＯＮは、端局装置ＴＥ２を経由して、端局装置ＴＥ１内の光通信装置ＴＲＡＰＮｂの状態を監視することができる。
【００７３】
さらに、図９および図１０に示す実施形態では、トランスポンダＴＲＡＰＮｂにより、図３に示すトランスポンダＴＲＡＰＮ、ＴＲＡＰＮａの機能を実現することができる。したがって、トランスポンダＴＲＡＰＮ、ＴＲＡＰＮａを開発および製造する場合に比べて、開発コストおよび製造コストを削減することができる。
【００７４】
図１１は、端局装置の別の例（比較例）を示している。図３と同一または同様の要素については、図３と同じ符号を付し、詳細な説明は省略する。
【００７５】
図１１に示す端局装置ＴＥ１ｂは、図２に示す端局装置ＴＥ１の代わりに配置されている。すなわち、端局装置ＴＥｂは、リング状の光伝送路ＯＰＴを介して図２に示す端局装置ＴＥ２に接続され、ネットワークＮＷを介して監視装置ＭＯＮに接続されている。装置架ＲＣ１１に収納される装置の構成は、図３に示す装置架ＲＣ１１に収納される装置の構成と同一または同様である。
【００７６】
装置架ＲＣ１２には、トランスポンダＴＲＡＰＮａの代わりにトランスポンダＴＲＡＰＮが収納され、図３に示す制御装置ＣＴＬ２の代わりに制御装置ＣＴＬ２ｂが収納されている。また、装置架ＲＣ１２は、制御装置ＣＴＬ２ｂをネットワークＮＷに接続するネットワークインタフェースＮＷＩＦを有している。装置架ＲＣ１２に収納されるその他の装置の構成は、図３の装置架ＲＣ１２に収納される装置の構成と同様である。
【００７７】
装置架ＲＣ１３には、トランスポンダＴＲＡＰＮａの代わりにトランスポンダＴＲＡＰＮが収納され、図３に示す制御装置ＣＴＬ３の代わりに制御装置ＣＴＬ３ｂが収納されている。また、装置架ＲＣ１３は、制御装置ＣＴＬ３ｂをネットワークＮＷに接続するネットワークインタフェースＮＷＩＦを有している。装置架ＲＣ１３に収納されるその他の装置の構成は、図３の装置架ＲＣ１３に収納される装置の構成と同様である。
【００７８】
図３に示すトランスポンダＴＲＡＰＮａが装置架ＲＣ１２、ＲＣ１３に収納されない場合、装置架ＲＣ１２、ＲＣ１３に収納されるトランスポンダＴＲＡＰＮの監視情報を、装置架ＲＣ１１の制御装置ＣＴＬ１に通知する手段は存在しない。図１１に示す例では、各装置架ＲＣ１２、ＲＣ１３に収納される制御装置ＣＴＬ２ｂ、ＣＴＬ３ｂは、各装置架ＲＣ１２、ＲＣ１３に収納されるトランスポンダＴＲＡＰＮの監視情報をネットワークインタフェースＮＷＩＦを介して監視装置ＭＯＮに伝える。
【００７９】
この場合、装置架ＲＣ１１、ＲＣ１２、ＲＣ１３毎にネットワークインタフェースＮＷＩＦが設けられ、ネットワークケーブル等が接続される。すなわち、装置架ＲＣ１１、ＲＣ１２、ＲＣ１３毎にネットワークケーブルを導入する場所が確保され、設置工事が実施される。また、ネットワークＮＷがＬＡＮの場合、装置架ＲＣ１１、ＲＣ１２、ＲＣ１３毎にＩＰアドレスが取得される。したがって、光伝送システムの設置コストまたは装置架ＲＣ１２、ＲＣ１３の増設コストは、図３に比べて増加する。
【００８０】
また、装置架ＲＣ１１、ＲＣ１２、ＲＣ１３のそれぞれがネットワークＮＷに接続される場合、監視装置ＭＯＮは、トランスポンダＴＲＡＰＮ等の状態を装置架ＲＣ１１、ＲＣ１２、ＲＣ１３毎に監視する。このため、監視装置ＭＯＮによる監視動作は、図３に比べて複雑になる。例えば、監視装置ＭＯＮは、装置架ＲＣ１１、ＲＣ１２、ＲＣ１３のそれぞれを別の光伝送システムとして監視するため、図３に比べて監視対象が増加する。
【００８１】
以上の詳細な説明により、実施形態の特徴点および利点は明らかになるであろう。これは、特許請求の範囲がその精神および権利範囲を逸脱しない範囲で前述のような実施形態の特徴点および利点にまで及ぶことを意図するものである。また、当該技術分野において通常の知識を有する者であれば、あらゆる改良および変更に容易に想到できるはずである。したがって、発明性を有する実施形態の範囲を前述したものに限定する意図はなく、実施形態に開示された範囲に含まれる適当な改良物および均等物に拠ることも可能である。
【符号の説明】
【００８２】
ＡＭ…増幅器；ＡＭＰ…光増幅部、ＡＭＰｉ、ＡＭＰｏ…光増幅器；ＡＭＰＣＴＬ…制御部；ＣＰＬ１、ＣＰＬ２、ＣＰＬ３…光カプラ；ＣＴＬ、ＣＴＬ１、ＣＴＬ１ａ、ＣＴＬ２、ＣＴＬ２ａ、ＣＴＬ２ｂ、ＣＴＬ３、ＣＴＬ３ａ、ＣＴＬ３ｂ…制御装置；ＤＥＳ…デシリアライザ；ＤＭＸ、ＤＭＸ１…分波部；ＥＤＦ…光ファイバ；Ｅ／Ｏ…電気光変換部；ＬＳＲｉ、ＬＳＲｏ…半導体レーザ；ＭＡＸ１、ＭＡＸ２、ＭＡＸ２１、ＭＡＸ２２…合波部；ＭＯＤ…変調器；ＭＯＮ…監視装置；ＭＯＮＯＰ１、ＭＯＮＯＰ２…監視光；ＭＯＮＳ１、ＭＯＮＳ２…監視信号；ＭＯＰ１、ＭＯＰ２…光信号；ＭＵＬＤＸ…光合波分波部；ＮＷ…ネットワーク；ＮＷＩＦ…ネットワークインタフェース；ＯＣ…光ケーブル；Ｏ／Ｅ…光電気変換部；ＯＰ１、ＯＰ２…光信号；ＯＰＳＹＳ１、ＯＰＳＹＳ２、ＯＰＳＹＳ３…光伝送システム；ＯＰＴ…光伝送路；ＰＤ…フォトダイオード；ＰＩＵ…入出力部；ＲＣ１、ＲＣ２、ＲＣ１１、ＲＣ１２、ＲＣ１３、ＲＣ２１、ＲＣ２２、ＲＣ２３…装置架；ＲＥＰ…中継装置；ＲＯＡＤＭ…光伝送装置；ＳＥＲ…シリアライザ；ＳＨ１、ＳＨ２、ＳＨ３…シェルフ；ＳＷ…スイッチ部；ＴＥ１、ＴＥ１ａ、ＴＥ１ｂ、ＴＥ２…端局装置；ＴＲＡＰＮ、ＴＲＡＰＮａ、ＴＲＡＰＮｂ…トランスポンダ（光通信装置）；ＷＳＳ…波長選択スイッチ
【図１】
2015142143.tif 000003
【図２】
2015142143.tif 000004
【図３】
2015142143.tif 000005
【図４】
2015142143.tif 000006
【図５】
2015142143.tif 000007
【図６】
2015142143.tif 000008
【図７】
2015142143.tif 000009
【図８】
2015142143.tif 000010
【図９】
2015142143.tif 000011
【図１０】
2015142143.tif 000012
【図１１】
2015142143.tif 000013